(57)【要約】【課題】簡易に防水ができ、コストもかからないコネクタハウジングを提供することを目的とする【解決手段】コネクタハウジング１に接続される電線４を下方へ案内する案内板５を備えたことを特徴とする。この案内板５は、コネクタハウジング１から接続される電線４をコネクタハウジング１の下方へ案内する。これにより、電線４はＵ字形状をなすようになり、電線４を伝わる水滴はコネクタハウジング１の電線４の接続部分には達せず、その曲げ部に達し、下へ落下するので、コネクタハウジング１の防水を図ることができる。【選択図】  図１
2005056630.tif 000002
【特許請求の範囲】
【請求項１】
コネクタハウジングに接続される電線を下方へ案内する案内板を備えたことを特徴とするコネクタハウジング。
【請求項２】
コネクタハウジングに接続される電線を下方へ案内する案内板を備えたコネクタハウジングと前記コネクタハウジングに接続される電線により構成されたことを特徴とするワイヤーハーネス。
【発明の詳細な説明】
【技術分野】
【０００１】
本発明は、自動車等の配線に用いられるコネクタハウジングに関するものである。また、より詳しくは、簡易に防水ができるコネクタハウジングとそれを備えたワイヤーハーネスに関するものである。
【背景技術】
【０００２】
一般的に、自動車のドアのドアパネル内部のパワーウィンドをはじめとする電装品、エアーコンディションユニット、テールライトとの配線に用いられるワイヤーハーネス等に使用されるコネクタはいずれも車内に設置されるものであるため、直接水滴にさらされるエンジンルーム内のワイヤーハーネスに用いられるコネクタほど防水性の要求は高くないと言われている。
【０００３】
そのため、こういった場所で用いられるワイヤーハーネスに使用されるコネクタは図４のように、電線４が接続された一対のコネクタハウジング１を単純に接続したものが多かった。この態様は、電線引出側開口端３から接続される電線４を有するオスコネクタハウジング１ａとメスコネクタハウジング１ｂ同士を接続したものである。
【発明の開示】
【発明が解決しようとする課題】
【０００４】
しかしながら、ドアパネル内部の電装品、テールライトの配線に用いられるコネクタは、ほぼ密閉された空間内で使用される。そのため、コネクタに直接水滴が付かなくても、密閉空間内の湿度が高い場合には水滴が凝縮して、空間中のコネクタの上部にある機器類に付着する。そしてこれが電線４に滴り落ちる場合がある。電線４に滴り落ちた水滴は、これを伝わって、電線引出側開口端３側のコネクタハウジング１の電線４が接続される箇所に達する。また、エアーコンディションユニットの配線に使用されるコネクタハウジング１ａ、１ｂについても、冷気ダクトに凝縮した水滴がコネクタハウジング１ａ、１ｂや電線４に滴り落ちる場合もある。これらの水滴はコネクタハウジング１ａ、１ｂから接続される電線４を伝わって、電線引出側開口端３側のコネクタハウジング１ａ、１ｂの電線４が接続される箇所に達する。コネクタハウジング１ａ、１ｂの電線４が接続される箇所に達した水滴は、電線４の金属部分と接続されるコネクタ金属端子の金属部分に影響を及ぼすことがありうる。
【０００５】
特に、近年のワイヤーハーネスの軽量化の要請より、電線の芯線として従来の銅芯線に代えてアルミニウム芯線を用いることが検討されている。このような場合は、電解作用により以上のような環境にいたらなくてもわずかな水分により電線４と接続されるコネクタ金属端子の金属部分の腐食が著しくなることが予想される。
【０００６】
この対策として、例えば特許文献１記載のようにコネクタハウジングから接続される電線を一旦Ｕ字形に曲げ、曲がった部分に排水プロテクタを設置することが行なわれている。これにより、電線を伝わる水滴は、Ｕ字の曲げ部に伝わって滴り落ちるようになる。滴り落ちた水滴は、排水プロテクタで受け止めることにより、水滴がコネクタハウジングの電線４が接続される箇所に達しないようにすることができる。
【０００７】
【特許文献１】特開平１１−１３６８３１号公報
【０００８】
排水プロテクタを用いてコネクタの防水対策をする方法では、別途大がかりな排水プロテクタが必要となり、コストが上昇してしまう問題があった。また、ドアパネル内部の電装品、エアーコンディションユニット、テールライト等の配線について用いられるコネクタは、エンジンルーム内のワイヤーハーネスに用いられるコネクタほどの防水性能が要求されないので、こういった方法をわざわざ用いる必要もない。
【０００９】
そこで本発明の目的は、簡易に防水ができ、コストもかからないコネクタハウジングを提供することを目的とする。また、かかるコネクタハウジングを備えたコストの安いワイヤーハーネスを提供することをも目的とする。
【課題を解決するための手段】
【００１０】
本発明は、請求項１及び請求項２の発明からなる。
請求項１に係る発明は、コネクタハウジングに接続される電線を下方へ案内する案内板を備えたことを特徴とするコネクタハウジングである。
【００１１】
請求項２に係る発明は、コネクタハウジングに接続される電線を下方へ案内する案内板を備えたコネクタハウジングと前記コネクタハウジングに接続される電線により構成されたことを特徴とするワイヤーハーネスである。
【発明の効果】
【００１２】
請求項１の発明に係るコネクタハウジングは、コネクタハウジングに案内板を備えただけの簡単かつ簡易なものであるが、この案内板は、コネクタハウジングから接続される電線をコネクタハウジングの下方へ案内する。これにより、電線はＵ字形状をなすようになり、電線を伝わる水滴はコネクタハウジングの電線の接続部分には到達せず、その曲げ部に達し、下へ落下するので、簡易かつ低コストでコネクタの防水を図ることができる。
【００１３】
請求項２の発明に係るワイヤーハーネスは、簡易かつ低コストでコネクタの防水を図ることができるコネクタハウジングを備えているので、ワイヤーハーネスのコストを下げることができる。
【発明を実施するための最良の形態】
【００１４】
本発明に係るコネクタハウジングの実施の形態について図１を参照しながら具体的に説明する。本発明に係るコネクタハウジング１は、オスコネクタハウジング１ａ若しくはメスコネクタハウジング１ｂからなっている。コネクタハウジング１ａ、１ｂの構造は、図４の従来のコネクタハウジング１ａ、１ｂと全く同様に、嵌合側開口端２と電線引出側開口端３を有している。
【００１５】
嵌合側開口端２は、一対のコネクタハウジング１を組み合わせて接続する場合は、他方のコネクタハウジング１ａ、１ｂの嵌合側開口端２と接続される。電線引出側開口端３部では、コネクタハウジング１内の図示しない端子に電線４が接続されることになる。
【００１６】
本発明に係るコネクタハウジング１ａ、１ｂは、電線引出側開口端３側には案内板５ａが備えられている。案内板５ａは、電線引出側開口端３から一旦下方に伸び、Ｕ字を描くような鉤の形状をなしている。
【００１７】
図２のように、電線引出側開口端３から接続された電線４は案内板５ａの鉤の形状に沿って、クリップ、ワイヤ、テープ等の止め具で案内板５ａに係止される。こうして接続された電線４は一旦コネクタハウジング１ａ、１ｂの下方へと案内されることになる。
【００１８】
そのため、電線４を伝わって電線引出側開口端３へ侵入しようとする水滴は、下方へ案内された電線４に逆らうことができなくなる。これにより、電線引出側開口端３への水滴の侵入を阻止することができる。
【００１９】
ここで、案内板５ａの先端部においても電線４が固定されるので、コネクタの使用中において振動や衝撃でコネクタハウジング１の上下が逆になって本発明の効果がなくなってしまう場合がある。かかる場合には、案内板５ａの先端部がコネクタハウジング１ａ、１ｂの重心の線よりも高い位置になるようにすればよい。さらに、案内板５ａはコネクタハウジング１ａ、１ｂと一体に成型されていても良いし、別体として成型し、後でコネクタハウジング１ａ、１ｂに付けられるようにしてもよい。
【００２０】
以上の図１及び図２で説明したコネクタハウジングは、オスコネクタハウジング１ａとメスコネクタハウジング１ｂを組み合わせて用いるものであるが、図３のように、一つのコネクタハウジング１を補機６に接続する場合にも適用することができる。
【００２１】
一つのコネクタハウジング１を補機６に接続する場合は、コネクタハウジング１は補機６に接続され固定されることになるので、振動や衝撃でコネクタハウジング１の上下が逆になって本発明の効果がなくなってしまうことはない。そのため、案内板の形状は例えば図３のように単純な棒状の案内板５ｂであっても良い。この場合も、電線４を案内板５ｂの棒状の形状に沿って、テープ等の止め具で案内板５ｂに係止していくと、接続された電線４はコネクタハウジング１の下方へと案内されることになる。
【００２２】
また、図２に示すようにコネクタハウジング１ａ、１ｂは、図示しない端子に接続した複数の電線４が、コネクタハウジング１ａ、１ｂの電線引出側開口端３から引き出（接続）され、ワイヤーハーネスを構成する。本発明に係るワイヤーハーネスは、防水性を備えながらコストの安いものが提供される。
【図面の簡単な説明】
【００２３】
【図１】本発明に係るコネクタハウジングの斜視図である。
【図２】本発明に係る一対のコネクタハウジングを組み合わせて接続したコネクタハウジングの使用状態を示した正面図である。
【図３】本発明に係る一つのコネクタハウジングを補機に接続したコネクタハウジングの使用状態を示した正面図である。
【図４】従来技術に係るコネクタハウジングの使用状態を示した正面図である。
【符号の説明】
【００２４】
１  コネクタハウジング
１ａ  オスコネクタハウジング
１ｂ  メスコネクタハウジング
２  嵌合側開口端
３  電線引出側開口端
４  電線
５ａ  案内板
５ｂ  案内板
６  補機
【図１】
2005056630.tif 000003
【図２】
2005056630.tif 000004
【図３】
2005056630.tif 000005
【図４】
2005056630.tif 000006